(57)【特許請求の範囲】
【請求項１】
金属製のベルト（１０；１１０；２１０）と、
互いに離隔しつつ前記ベルトに接続された締付け用の２つのつまみ（１２，１４；２１２，２１４）と、
前記ベルトと協働して前記２つのつまみの間に架け渡される架橋板（２０；１２０；２２０）と、
を備えた締付固定具であって、
前記２つのつまみが、前記締付固定具の締付け時に互いに近づけられるものであり、
前記ベルトが、前記２つのつまみの一方である第１つまみ（１４）を支持すると共に前記締付固定具の締付け状態において前記架橋板の第１端部（２０Ａ；２２０Ａ）を覆う重複部（２２；１２２；２２２）を含み、
前記重複部の内面（２２Ａ）に、前記締付固定具の締付け中に前記第１端部（２０Ａ；２２０Ａ）が挿入され且つ前記締付固定具の締付け状態において前記第１端部（２０Ａ；２２０Ａ）が前記締付固定具の径方向外側に露出しないように前記第１端部（２０Ａ；２２０Ａ）を覆う後退部（２４；２２４）が形成されており、
前記後退部が、前記ベルトの長手方向に延在する中心線（Ｌ）の両側に２つの面（２６Ａ，２６Ｂ；２２６Ａ，２２６Ｂ）を形成する端壁を有する第１ジョッグル（２６；２２６）によって画定されており、
前記２つの面が、前記中心線に対して対称に設けられていると共に、前記長手方向及び前記ベルトの幅方向の両方に対してそれぞれ傾斜し、前記ベルトの幅を半分に分割した領域（ｌｃ）に亘ってそれぞれ延在していることを特徴とする、締付固定具。
【請求項２】
前記第１端部（２０Ａ；２２０Ａ）が、先端（２１Ｃ；２２１Ｃ）で交わると共に前記２つの面（２６Ａ，２６Ｂ；２２６Ａ，２２６Ｂ）と同様に傾斜した２つの自由縁（２１Ａ，２１Ｂ；２２１Ａ，２２１Ｂ）を有することを特徴とする、請求項１に記載の締付固定具。
【請求項３】
前記架橋板（２０；１２０）の第２端部（２０Ｂ）が、前記２つのつまみの他方である第２つまみ（１２）の近傍において前記ベルトの内面に形成された別の後退部（３４）に挿入されており、
前記別の後退部が、前記中心線（Ｌ）の両側に２つの面（３６Ａ，３６Ｂ）を形成する端壁を有する第２ジョッグル（３６）によって画定されており、
前記２つの面が、前記中心線に対して対称に設けられていると共に、前記長手方向及び前記幅方向の両方に対してそれぞれ傾斜し、前記ベルトの幅を半分に分割した領域（ｌｃ）に亘ってそれぞれ延在していることを特徴とする、請求項１又は２に記載の締付固定具。
【請求項４】
前記第２端部（２０Ｂ）が、先端（２１Ｃ'）で交わると共に前記第２ジョッグル（３６）の前記端壁と同様に傾斜した２つの自由縁（２１Ａ'，２１Ｂ'）を有することを特徴とする、請求項３に記載の締付固定具。
【請求項５】
前記第１ジョッグル（２６；２２６）の前記端壁が、Ｖ字型であることを特徴とする、請求項１〜４のいずれか一項に記載の締付固定具。
【請求項６】
前記第２ジョッグル（３６）の前記端壁が、Ｖ字型であることを特徴とする、請求項３及び請求項１〜５のいずれか一項に記載の締付固定具。
【請求項７】
前記Ｖ字型を構成する２つの分岐部が、６０〜９０°の内角（α）を形成していることを特徴とする、請求項５又は６に記載の締付固定具。
【請求項８】
前記Ｖ字型を構成する２つの分岐部が、７０〜８０°の内角（α）を形成していることを特徴とする、請求項７に記載の締付固定具。
【請求項９】
前記架橋板（２０；１２０）の第２端部（２０Ｂ）が、前記ベルト（１０；１１０）における前記２つのつまみの他方である第２つまみ（１２）を支持する部分に固定されていることを特徴とする、請求項１〜８のいずれか一項に記載の締付固定具。
【請求項１０】
前記第２端部（２０Ｂ）が、かしめ及びクリンチのいずれかの方法で、前記ベルト（１０）に固定されていることを特徴とする、請求項９に記載の締付固定具。
【請求項１１】
前記架橋板の前記第２端部（２０Ｂ）及び前記ベルトの一方が、前記架橋板及び前記ベルトのうち対応する部材の長手方向に延在する２つの縁のそれぞれに形成された、少なくとも２つの切欠部（２８Ａ，２８Ｂ；１２８Ａ，１２８Ｂ）を有し、
前記架橋板の前記第２端部（２０Ｂ）及び前記ベルトの他方が、前記架橋板及び前記ベルトのうち対応する部材の長手方向に延在する２つの縁のそれぞれに形成されると共に前記切欠部のそれぞれに挿入される、少なくとも２つの突出部（３８Ａ，３８Ｂ；１３８Ａ，１３８Ｂ）を有することを特徴とする、請求項９に記載の締付固定具。
【請求項１２】
前記第２端部（２０Ｂ）が、前記架橋板の長手方向に延在する２つの縁（２０'，２０"）のそれぞれに形成された、前記切欠部（２８Ａ，２８Ｂ）を有し、
前記ベルトが、内面に、前記ベルトの長手方向に延在する２つの縁のそれぞれに形成されると共に前記切欠部のそれぞれに挿入される、エンボス加工による前記突出部（３８Ａ，３８Ｂ）を有することを特徴とする、請求項１１に記載の締付固定具。
【請求項１３】
前記つまみ（１２，１４）が、前記ベルト（１０）における径方向に突出した部分であって、締付けねじ（１６）の軸（１６Ａ）が挿入される孔が設けられた部分によって、構成されており、
前記軸が、前記つまみの背面を支持するねじ保持部（１６Ｂ，１８）と協働することを特徴とする、請求項１〜１２のいずれか一項に記載の締付固定具。
【請求項１４】
前記ベルト（１０）が、凹状の断面を有することを特徴とする、請求項１〜１３のいずれか一項に記載の締付固定具。
【請求項１５】
前記凹状の断面が、Ｖ字型であることを特徴とする、請求項１４に記載の締付固定具。
【発明の詳細な説明】
【技術分野】
【０００１】
本発明は、金属製のベルトと、互いに離隔しつつ前記ベルトに接続された締付け用の２つのつまみと、前記ベルトと協働して前記２つのつまみの間に架け渡される架橋板と、を備えた締付固定具であって、前記２つのつまみが、前記締付固定具の締付け時に互いに近づけられるものであり、前記ベルトが、前記２つのつまみの一方である第１つまみを支持すると共に前記締付固定具の締付け状態において前記架橋板の第１端部を覆う重複部を含み、前記重複部の内面に、前記締付固定具の締付け中に前記第１端部が挿入され且つ前記締付固定具の締付け状態において前記第１端部が前記締付固定具の径方向外側に露出しないように前記第１端部を覆う後退部が形成されている、締付固定具に関する。
【背景技術】
【０００２】
上記構成の締付固定具は、平坦なベルトを含む締付固定具に適用されるものとして、特許文献１に示されている。
【０００３】
特許文献１に記載の締付固定具では、架橋板の端部が細長い舌状部で構成されており、ベルトの内面に形成された後退部に、舌状部が挿入される溝が形成されている。舌状部は、ベルトの長手方向に沿った長尺な側面を有すると共に、ベルトの幅方向（ベルトの長手方向と直交する方向）に沿った面を介して架橋板の端部以外の部分に接続されている。溝も、舌状部と同様、ベルトの長手方向に沿った長尺な側面を有する。溝及び舌状部は、共に、ベルトの長手方向に延在する中心線を実質的に中心として設けられており、ベルトの幅の１／４〜１／３程度の小さい幅を有する。
【０００４】
舌状部は、締付固定具の締付け時に、溝に挿入される。このとき、溝の深さが舌状部の厚みと実質的に一致しているため、締付固定具の内面は、締付固定具によって締め付けられるもの（対象物）を実質的に連続的に支持する。即ち、舌状部が設けられた部分では、ベルトにおける溝の幅方向両側の縁と、舌状部の内面とで、連続的に、対象物が支持される。対象物を連続的に支持することは、対象物が２つのダクトやチューブの連結部分又は１のパイプと末端部との連結部分であって気密性が必要とされる部分である場合に、特に重要である。
【先行技術文献】
【特許文献】
【０００５】
【特許文献１】仏国特許発明第２５２２０８６号明細書
【発明の概要】
【発明が解決しようとする課題】
【０００６】
特に高気密性を得るために必要となる締付力に関して、締付固定具に期待される性能がますます高くなっている。
【０００７】
また、経済的観点から、ベルトの作製に用いられる材料をできるだけ抑制することが望まれている。これは、通常、ベルトの厚みを小さくすることで実現される。しかしながら、ベルトの厚みを小さくすると、締付力が大きい場合、ベルトが好ましくない態様で変形してしまい、締付性能及び気密性が悪化し得る。そのため、大きな締付力に耐え得ると共に少ない材料で作製された剛なベルトを用いることが望まれている。
【０００８】
本発明の目的は、上記の制限に対応可能であり、大きな締付力に耐え得ると共に、対象物を連続的に支持することができる、締付固定具を提供することである。
【課題を解決するための手段】
【０００９】
上記目的は、以下の構成により解決される。即ち、本発明に係る締付固定具は、前記後退部が、前記ベルトの長手方向に延在する中心線の両側に２つの面を形成する端壁を有する第１ジョッグルによって画定されており、前記２つの面が、前記中心線に対して実質的に対称に設けられていると共に、前記長手方向及び前記ベルトの幅方向の両方に対してそれぞれ傾斜し、前記ベルトの幅を実質的に半分に分割した領域に亘ってそれぞれ延在している。
【００１０】
本発明では、後退部を画定する第１ジョッグルの端壁（即ち、第１ジョッグルにおける架橋板の第１端部の自由端に対向する内側部分）が、特有の形態を有する。
【００１１】
本願の出願人は、上記端壁に、ベルトの長手方向及び幅方向の両方に対してそれぞれ傾斜した２つの面を設けると共に、当該２つの面を、ベルトの幅を実質的に半分に分割した領域に亘ってそれぞれ延在させることで、第１ジョッグルによりベルトの剛性を高めることが可能であることを見出した。
【００１２】
即ち、本発明によれば、第１ジョッグルが、対象物の連続的な支持を実現するための後退部を画定するという機能、及び、大きな締付力による好ましくない変形を防止するために当該細長い片を局所的に補強する機能、という２つの機能を有する。
【００１３】
本発明では、前記第１端部が、先端で交わると共に前記２つの面と実質的に同様に傾斜した２つの自由縁を有することが好ましい。
【００１４】
上記構成によれば、架橋板の第１端部が第１ジョッグルの端壁の形状に対応した形状を有するため、締付固定具の締付け時に、架橋板の第１端部の自由端がその外縁の略全体に亘って第１ジョッグルの端壁に近接する。これにより、当該部分において、対象物を支持するベルトの幅を大きく確保することができる。
【００１５】
また、上記のように、架橋板の第１端部は、締付固定具の締付け中に、後退部に挿入される。しかしながら、対象物が締付けによって径方向に変形し、対象物の締付力に対する反力によって架橋板の第１端部における後退部への挿入が阻害され得る。架橋板の第１端部が特許文献１に記載のような細長い舌状部で構成されていると、締付力が特に大きい場合、第１端部を後退部に挿入し難く、また、対象物の締付力に対する反力によって第１端部が延出方向と逆の方向に折れ曲がり易い。本願の出願人は、架橋板の第１端部を、先端で交わると共に傾斜した２つの自由縁が設けられた構成とすることにより、上記の問題を軽減できることを見出した。当該架橋板の自由縁は、合理的な形状（streamlined）であり、架橋板の挿入を阻害し得る対象物からの力に対して効果的な抵抗力を実現する。
【００１６】
本発明では、前記架橋板の第２端部が、前記２つのつまみの他方である第２つまみの近傍において前記ベルトの内面に形成された別の後退部に挿入されており、前記別の後退部が、前記中心線の両側に２つの面を形成する端壁を有する第２ジョッグルによって画定されており、前記２つの面が、前記中心線に対して実質的に対称に設けられていると共に、前記長手方向及び前記幅方向の両方に対してそれぞれ傾斜し、前記ベルトの幅を実質的に半分に分割した領域に亘ってそれぞれ延在していることが好ましい。
【００１７】
上記構成によれば、ベルトにおける第２つまみ近傍に設けられた別の後退部により、当該部分においてベルトの剛性を局所的に高めることができる。また、架橋板の第２端部が上記別の後退部に挿入されていることにより、対象物の連続的な支持が実現されると共に、架橋板をベルトとは別の部材で構成して適宜の手段でベルトに固定することができる。
【００１８】
本発明では、前記第２端部が、先端で交わると共に前記第２ジョッグルの前記端壁と実質的に同様に傾斜した２つの自由縁を有することが好ましい。
【００１９】
上記構成によれば、架橋板の第２端部が第２ジョッグルの端壁の形状に対応した形状を有することにより、当該部分において、対象物を支持するベルトの幅を大きく確保することができる。
【００２０】
本発明では、前記第１ジョッグルの前記端壁及び前記第２ジョッグルの前記端壁の少なくとも一方が、実質的にＶ字型であることが好ましい。
【００２１】
上記構成によれば、Ｖ字型にすることで、端壁の形成が容易になると共に、上述した効果を得ることができる。なお、Ｖ字の先端部分は、鋭角であってもよいし、若干丸みを帯びてもよいし、平坦であってもよい。
【００２２】
本発明では、前記架橋板の第２端部が、前記ベルトにおける前記２つのつまみの他方である第２つまみを支持する部分に固定されていることが好ましい。
【００２３】
上記構成によれば、架橋板を、ベルトとは別の部材で構成し、ベルトに固定することができる。
【００２４】
本発明では、前記第２端部が、かしめ及びクリンチのいずれかの方法で、前記ベルトに固定されていることが好ましい。
【００２５】
溶接等の他の方法で架橋板の第２端部をベルトに固定することも可能であるが、かしめ及びクリンチのいずれかの方法によれば、ベルトを構成する材料の表面を損傷することなく、架橋板の第２端部をベルトに固定することができる。
【００２６】
本発明では、前記架橋板の前記第２端部及び前記ベルトの一方が、前記架橋板及び前記ベルトのうち対応する部材の長手方向に延在する２つの縁のそれぞれに形成された、少なくとも２つの切欠部を有し、前記架橋板の前記第２端部及び前記ベルトの他方が、前記架橋板及び前記ベルトのうち対応する部材の長手方向に延在する２つの縁のそれぞれに形成されると共に前記切欠部のそれぞれに挿入される、少なくとも２つの突出部を有することが好ましい。
【００２７】
上記構成によれば、局所的な切削加工やダイによる浮き出し加工等の機械的加工によって、特に容易に、架橋板をベルトに固定することができる。
【００２８】
本発明では、前記ベルトが、実質的に凹状の断面を有することが好ましい。また、前記凹状の断面が、実質的にＶ字型であることが好ましい。
【００２９】
本発明は、凹状の断面を有するベルトを含む締付固定具に、特に好適に適用可能である。このような締付固定具は、特に、ベルトの凹部内に挿入される凸部が互いに対向する端部にそれぞれ設けられた２つのチューブを連結するのに用いられる。上記構成では、第１ジョッグルの端壁における傾斜した２つの面が、ベルトの凹部と結合される。即ち、ベルトを構成する材料は、上記２つの面が設けられる領域において、第１ジョッグル及び凹部の両方を形成するように、変形される。具体的には、上記２つの面は、ベルトの内面において凹部を画定する傾斜面に亘って延在する。そのため、上記２つの面は、ベルトの長手方向及び幅方向のみならず、ベルトの径方向に対しても傾斜する。したがって、上記２つの面を多くの量の材料が含まれる領域に割り当て、剛性を大きく向上させる領域を含む加工硬化部をベルトに局所的に設けることができる。
【図面の簡単な説明】
【００３０】
【図１】本発明の第１実施形態に係る締付固定具を示す側面図である。
【図２】重複部の内面及び架橋板の第１端部を特に示す斜視図である。
【図３】ベルトの内面における架橋板の第２端部が設けられた部分を特に示す斜視図である。
【図４】図３と同じ角度から見た分解斜視図であって、架橋板をより明確に示すために架橋板をベルトから分離させた分解斜視図である。
【図５Ａ】図１の矢印ＶＡ方向から見た、本発明の第１実施形態に係る締付固定具の内面を示す部分図である。
【図５Ｂ】図１の矢印ＶＢ方向から見た、本発明の第１実施形態に係る締付固定具の内面を示す部分図である。
【図５Ｃ】変形例を示す図である。
【図６】本発明の第２実施形態に係る締付固定具を示す側面図である。
【図７Ａ】図６の矢印ＶＩＩＡ方向から見た、本発明の第２実施形態に係る締付固定具の内面を示す部分図である。
【図７Ｂ】図６の矢印ＶＩＩＢ方向から見た、本発明の第２実施形態に係る締付固定具の内面を示す部分図である。
【図８】架橋板をベルトに固定する手段の変形例を示す図である。
【発明を実施するための形態】
【００３１】
本発明及びその効果は、以下に述べる実施形態に関する詳細な説明によって、より明確に理解されるであろう。以下、図面を参照しつつ、本発明の実施形態について説明する。なお、本発明は、以下の実施形態に限定されるものではない。
【００３２】
本発明の第１実施形態に係る締付固定具は、図１に示すように、金属製のベルト１０、及び、互いに離隔した締付け用の２つのつまみ１２，１４を有する。つまみ１２，１４は、公知の方法により、ベルト１０における径方向に突出した部分であって、締付けねじ１６の軸１６Ａが挿入される孔が設けられた部分によって、構成されている。軸１６Ａは、つまみ１２，１４の背面を支持するねじ保持部と協働する。本実施形態において、ねじ保持部は、第２つまみ１２の背面を支持する締付けねじ１６の頭１６Ｂ、及び、ワッシャ１９を介して第１つまみ１４の背面を支持するナット１８によって、構成されている。
【００３３】
本発明の第１実施形態に係る締付固定具は、ベルト１０と協働して２つのつまみ１２，１４の間に架け渡される、架橋板２０をさらに有する。図１は、締付固定具の非締付け時の状態（非締付け状態）を示しており、このとき架橋板２０の第１端部２０Ａは、ベルト１０における第１端部２０Ａと対向する部分から若干離隔している。また、このとき第１端部２０Ａは、第１つまみ１４の近傍において、２つのつまみ１２，１４の間に位置している。ベルト１０は、締付固定具の締付け時の状態（締付け状態）において第１端部２０Ａを覆う重複部２２を含む。重複部２２の内面２２Ａは、後退部２４を有する。後退部２４は、図２に示すように、締付固定具の締付け中に第１端部２０Ａが挿入される部分である。
【００３４】
後退部２４における第１つまみ１４から離隔した部分は、第１ジョッグル２６によって画定されている。第１ジョッグル２６は、ベルト１０に実質的に径方向の段部を形成することで構成されている。後退部２４の内面を基準とした第１ジョッグル２６の高さｈは、金属片における架橋板２０が設けられた部分の厚みｅと実質的に一致している。したがって、第１端部２０Ａが後退部２４に挿入されるとき、架橋板２０の内面がベルト１０の内面と連続するように配置される。
【００３５】
第１ジョッグル２６の端壁（即ち、後退部２４における第１端部２０Ａと対向する内面）は、図２及び図５Ａに示すように、ベルト１０の長手方向に延在する中心線Ｌの両側に、傾斜した２つの面２６Ａ，２６Ｂを有する。当該２つの面２６Ａ，２６Ｂは、中心線Ｌに対して実質的に対称に設けられていると共に、ベルト１０の長手方向（中心線Ｌに沿った方向）及び幅方向Ｔの両方に対してそれぞれ傾斜している。
【００３６】
２つの面２６Ａ，２６Ｂは、ベルト１０の幅を実質的に半分に分割した領域ｌｃに亘ってそれぞれ延在している。本実施形態において、２つの面２６Ａ，２６Ｂは、当該２つの面２６Ａ，２６Ｂが交わると共に中心線Ｌに位置する接点２６Ｃから、ベルト１０の長手方向に沿った両側の縁１０Ａ，１０Ｂまで、それぞれ延在している。ここで、「ベルトの幅を実質的に半分に分割した領域」とは、ベルトの幅を半分に分割した領域の全て又はほとんど全て（好ましくは当該領域の８０％以上、少なくとも５０％以上）を意味する。
【００３７】
第１ジョッグル２６の端壁は、中心線Ｌに対して対称である。
【００３８】
本実施形態において、第１ジョッグル２６の端壁は、図５Ａの下側から見た場合に特によく理解されるように、実質的にＶ字型である。図５Ａの下側から見た場合、２つの面２６Ａ，２６Ｂは、Ｖ字の２つの分岐部を構成すると共に、Ｖ字の先端に対応する接点２６Ｃで交わっている。当該先端は、若干丸みを帯びており、ベルト１０の全幅ｌの略１／５に相当する幅ｌｐに亘って延在している。
【００３９】
本実施形態において、Ｖ字型を構成する２つの分岐部（２つの面２６Ａ，２６Ｂによって構成される部分）は、図５Ａに示すように、直線状である。しかしながら、当該分岐部は、本発明の技術的範囲を逸脱しない限り、図５Ｃに示すように若干曲がった形状であってもよい。図５Ｃに示す２つの面２６Ａ’，２６Ｂ’は、中心線Ｌに対して対称である。
【００４０】
図５Ａに、Ｖ字型を構成する２つの分岐部（２つの面２６Ａ，２６Ｂによって構成される部分）の間に形成された内角αが示されている。内角αは、６０〜９０°（好ましくは７０〜８０°）である。
【００４１】
図５Ｃに、２つの直線ａ１，ａ２の間に形成された内角αが示されている。直線ａ１，ａ２は、第１ジョッグル２６の端壁と中心線Ｌとの交点と、２つの面２６Ａ’，２６Ｂ’における当該交点とは反対側の端部とによって、それぞれ画定される。図５Ｃに示す内角αは、第１ジョッグル２６の端壁による傾斜した２つの分岐部の間に形成された内角に対応し、６０〜９０°（好ましくは７０〜８０°）である。
【００４２】
第１端部２０Ａは、図２及び図５Ｂに示すように、先端２１Ｃで交わると共に傾斜した２つの自由縁２１Ａ，２１Ｂを有する。先端２１Ｃは、中心線Ｌ上に位置している。自由縁２１Ａ，２１Ｂの傾きは、２つの面２６Ａ，２６Ｂの傾きと実質的に同じである。
【００４３】
締結固定具が締付け状態にあるときの、後退部２４内における第１端部２０Ａの位置が、図５Ａに破線で示されている。このとき自由縁２１Ａ，２１Ｂは、第１ジョッグル２６の端壁の２つの面２６Ａ，２６Ｂのそれぞれと対向している。本実施形態において、自由縁２１Ａ，２１Ｂは、図５Ａの下側から見た場合、直線状である。しかしながら、自由縁は、図５Ｃに示す面２６Ａ’，２６Ｂ’のように曲がった形状であってもよい。
【００４４】
締結固定具が締付け状態にあるとき、自由縁２１Ａ，２１Ｂが第１ジョッグル２６の端壁に近接し、締付固定具の内面が、第１端部２０Ａにおける第１ジョッグル２６の端壁に近接した部分においても、対象物を支持することが理解されるであろう。なお、自由縁２１Ａ，２１Ｂと第１ジョッグル２６の端壁との隙間ｊにおいて、若干、対象物の支持の連続性が途切れる。しかしながら、当該若干の途切れは対象物の支持の連続性にさほど悪影響を及ぼすものではない。なぜなら、締付固定具の幅方向に沿って隙間ｊの領域を通る直線を引いた場合、当該直線は、ベルト１０、第１ジョッグル２６の端壁の近傍、及び架橋板２０のいずれかによる連続支持部（ベルト１０の幅と略等しい締付け幅を呈する部分）を常に横切るからである。また、架橋板２０がつまみ１２，１４の間に架け渡されると共に、第１端部２０Ａが後退部２４に係合することで、架橋板２０が対象物を全体的に連続的に支持する。
【００４５】
図１、図３、図４、及び図５Ｂに示すように、架橋板２０の第２端部２０Ｂが、第２つまみ１２の近傍においてベルト１０の内面に形成された別の後退部３４に挿入されている。当該別の後退部３４は、中心線Ｌの両側に傾斜した２つの面３６Ａ，３６Ｂを形成する端壁を有する第２ジョッグル３６によって画定されている。図１、図３、図４、及び図５Ｂに示す後退部３４を画定する第２ジョッグル３６と、図１、図２、及び図５Ａに示す後退部２４を画定する第１ジョッグル２６とは、互いに同じ構成である。
【００４６】
第１ジョッグル２６について説明した内容は、第２ジョッグル３６にも該当する。特に、２つの面３６Ａ，３６Ｂは、中心線Ｌ上に位置する先端３６Ｃで交わると共に、下側から見た場合に直線状又は曲がった形状であってよい。
【００４７】
また、第２端部２０Ｂは、第１端部２０Ａと同じ構成である。特に、第２端部２０Ｂは、先端２１Ｃ’で交わる２つの自由縁２１Ａ’，２１Ｂ’を有する。第２端部２０Ｂは、別の後退部３４に挿入されている。特に図５Ｂに示すように、２つの自由縁２１Ａ’，２１Ｂ’の傾きは、第２ジョッグル３６の端壁の傾きと実質的に同じである。架橋板２０は、２つの自由縁２１Ａ’，２１Ｂ’が２つの面３６Ａ，３６Ｂのそれぞれに近接するようにして、ベルト１０に固定されている。自由縁２１Ａ’，２１Ｂ’と２つの面３６Ａ，３６Ｂとの隙間ｊ’は、上記の隙間ｊより小さい場合が多い。第２ジョッグル３６の端壁の形状及び架橋板２０の第２端部２０Ｂの形状をそれぞれ考慮すると、隙間ｊ’は対象物の支持の連続性にさほど悪影響を及ぼすものではない。なぜなら、締付固定具の幅方向に沿って隙間ｊ’の領域を通る直線を引いた場合、当該直線は、ベルト１０及び架橋板２０のいずれかによる連続支持部（ベルト１０の幅と略等しい締付け幅を呈する部分）を常に横切るからである。
【００４８】
本実施形態において、架橋板２０は、ベルト１０とは別の金属片で構成され、ベルト１０に固定されている。より詳細には、第２端部２０Ｂは、ベルト１０における第２つまみ１２を支持する部分に固定されている。
【００４９】
本実施形態において、架橋板２０は、溶接や接合等の手段ではなく機械的手段のみによって、ベルト１０に固定されている。図４に示すように、第２端部２０Ｂは２つの切欠部２８Ａ，２８Ｂを有する。切欠部２８Ａ，２８Ｂは、架橋板２０の長手方向に延在する２つの縁２０’，２０”のそれぞれにおいて、互いに逆方向を向くように形成されている。ベルト１０は、切欠部２８Ａ，２８Ｂのそれぞれに挿入される２つの突出部３８Ａ，３８Ｂを有する。
【００５０】
本実施形態において、突出部３８Ａ，３８Ｂは、エンボス加工により形成されており、ベルト１０の長手方向に延在する２つの縁１０Ａ，１０Ｂのそれぞれに設けられている。図３に示すように、突出部３８Ａ，３８Ｂは、切欠部２８Ａ，２８Ｂに係合し、切欠部２８Ａ，２８Ｂ内にぴったりと収まっている。本実施形態のようにベルト１０及び架橋板２０が凹状の断面を有する場合、切欠部２８Ａ，２８Ｂにおける長手方向の端壁は、傾斜し、突出部３８Ａ，３８Ｂの内側の縁によって保持される。
【００５１】
架橋板２０の外面が後退部３４の内面に十分押し付けられ、架橋板２０がベルト１０に固定されている。切欠部２８Ａ，２８Ｂは、第２端部２０Ｂの自由縁２１Ａ’，２１Ｂ’から若干離隔した位置に形成されている。
【００５２】
突出部３８Ａ，３８Ｂをエンボス加工で形成することで、突出部３８Ａ，３８Ｂを切削加工で形成した場合に比べ、締付固定具における当該突出部が設けられた部分の剛性を高めることができる。
【００５３】
図８の部分的な斜視図に示すように、ベルト１１０が２つの切欠部１２８Ａ，１２８Ｂを有し、架橋板１２０が切欠部１２８Ａ，１２８Ｂのそれぞれに挿入される２つの突出部１３８Ａ，１３８Ｂを有し、これにより架橋板１２０がベルト１１０に固定されてもよい。図８に示す変形例において、突出部１３８Ａ，１３８Ｂは、架橋板１２０の縁に切削加工を施した後、当該部分を、径方向に立ち上がるように折り曲げ、さらに、架橋板１２０の上方に亘って延在し且つ切欠部１２８Ａ，１２８Ｂの長手方向の縁よりも上方に位置するように折り曲げることで形成された、留め金（catches）の形態を有する。
【００５４】
図１〜図５Ｂに示す本発明の第１実施形態に係る締付固定具は、凹状の断面を有するものであり、特に、当該凹状の空間に挿入される凸状のフランジが設けられた２つのチューブの端部間を連結するのに用いられる。また、当該凹状の断面は、実質的にＶ字型である。この構成は、締付固定具の支持面が対象物であるチューブの軸に対して傾斜して円錐台形状を有する場合に特に好適である。
【００５５】
本願明細書の導入部で説明したように、ベルトのジョッグルの端壁に傾斜した面（特にＶ字型の面）を設けることは、凹状の断面を有する締付固定具において特に好ましい。ジョッグルの部分に設けられた加工硬化部は、規模が特に大きく、比較的多くの量の材料に割り当られる。これにより、ベルトの剛性を大きく向上させることができる。
【００５６】
本発明は、図６〜図７Ｂに示すようにベルトの断面が平坦な締付固定具にも適用可能である。
【００５７】
図６に示す本発明の第２実施形態に係る連結固定具は、平坦な断面を有するベルト２１０、及び、締付け用の２つのつまみ２１２，２１４を有する。本実施形態では、締付けがフック形式で行われ、第１つまみ２１２はフック形状であり、第２つまみ２１４は径方向外側に延出したひだ形状である。締付固定具の締付け時に、第１つまみ２１２の縁２１２Ａが第２つまみ２１４の後面に引っ掛けられる。なお、このような締付け手段は一例にすぎず、例えば図１〜図５Ｂや特許文献１に示されているような、ねじによる締付け手段を採用してもよい。
【００５８】
本実施形態に係る締付固定具は、一部品として一体に形成されている。具体的には、架橋板２２０が、ベルト２１０を第２つまみ２１４から延長した部分で構成されている。締付固定具の締付け時に、架橋板２２０が後退部２２４に挿入される。後退部２２４は、第１つまみ２１２の後ろ側に設けられた重複部２２２に形成されており、第１ジョッグル２２６によって画定されている。第１ジョッグル２２６の端壁は、図７Ｂに示すように、傾斜した２つの面２２６Ａ，２２６Ｂを有する。本実施形態において、第１ジョッグル２２６の端壁は下側から見てＶ字型であり、２つの面２２６Ａ，２２６Ｂが当該Ｖ字の２つの分岐部を構成している。締付固定具の締付け時に、架橋板２２０の第１端部２２０Ａが後退部２２４に挿入される。このとき第１端部２２０Ａは、第１ジョッグル２２６の端壁に近接するまで挿入される。図７Ａに示すように、第１端部２２０Ａは、先端２２１Ｃで交わると共に傾斜した２つの自由縁２２１Ａ，２２１Ｂを有する。自由縁２２１Ａ，２２１Ｂの傾きは、第１ジョッグル２２６の端壁の傾きと実質的に同じである。
【００５９】
第１ジョッグル２２６は、平坦な（即ち、断面が凹状でない）金属片に形成されている点を除き、上述したジョッグル２６，３６と同じ構成であってよい。つまり、第１ジョッグル２２６は、下側（即ち、金属片の内側）から見て、ジョッグル２６，３６と同じ形状を有してよい。具体的には、第１ジョッグル２２６は、図７Ｂに示すようなＶ字型であってもよいし、図５Ｃに示すような上下逆さまの放物線形状を形成するよう湾曲した２つの分岐部から構成されるＶ字型であってもよい。同様に、第１端部２２０Ａは、断面が平坦である点を除き、上述した第１端部２０Ａと同じ形状であってよい。
【００６０】
第１ジョッグル２２６の端壁、及び、架橋板２００（特に第１端部２２０Ａ）は、ベルト２１０の長手方向に延在する中心線に対して対称な形状であることが好ましい。
【図１】
0005892392.tif 000002
【図２】
0005892392.tif 000003
【図３】
0005892392.tif 000004
【図４】
0005892392.tif 000005
【図５Ａ】
0005892392.tif 000006
【図５Ｂ】
0005892392.tif 000007
【図５Ｃ】
0005892392.tif 000008
【図６】
0005892392.tif 000009
【図７Ａ】
0005892392.tif 000010
【図７Ｂ】
0005892392.tif 000011
【図８】
0005892392.tif 000012